(57)【要約】【課題】  集団検診のスピードアップを図り、操作者の負荷を軽減すること。【解決手段】  集団検診時における、寝台や支持装置の取るべき姿勢データを含む撮影シーケンスを記憶する撮影シーケンス記憶部６と、Ｘ線撮影開始後、Ｘ線管装置２からのＸ線の曝射毎に、撮影シーケンス記憶部に記憶されている撮影シーケンスに基づき、寝台や支持装置を次の姿勢となるように制御するとともに、Ｘ線管装置からのＸ線の曝射回数が所定回数に達したときに、一連の撮影シーケンスを終了させるように制御する制御装置５とを備えた。  これにより、一連の撮影シーケンスに従って、寝台や支持装置の位置を自動的に設定しながら、種々の姿勢でのＸ線撮影を可能とし、Ｘ線の曝射回数が所定回数に達したときに、一連の撮影シーケンスを終了させることができるので、操作者の精神的、肉体的負荷を軽減することができる。【選択図】      図１
2006109891.tif 000002
【特許請求の範囲】
【請求項１】
被検者を載置し、起倒および／またはローリングの可能な寝台と、
この寝台に載置された被検者を間にして対向するように、Ｘ線発生手段およびＸ線検出手段とを支持し、前記被検者に対するＸ線撮影方向を可変にする支持手段とを備えるＸ線画像診断装置において、
集団検診時における、前記寝台および／または前記支持手段の取るべき姿勢データを含む撮影シーケンスを記憶する記憶手段と、
Ｘ線撮影開始後、前記Ｘ線発生手段からのＸ線の曝射毎に、前記記憶手段に記憶されている前記撮影シーケンスに基づき、前記寝台および／または前記支持手段を次の姿勢となるように制御するとともに、前記Ｘ線発生手段からのＸ線の曝射回数が所定回数に達したときに、一連の撮影シーケンスを終了させるように制御する制御手段と
を具備することを特徴とするＸ線画像診断装置。
【請求項２】
前記寝台および／または前記支持手段の取るべき姿勢毎に、予め用意されている前記被検者への指示事項を音声で伝えるメッセージ発生手段をさらに具備することを特徴とする請求項１に記載のＸ線画像診断装置。
【発明の詳細な説明】
【技術分野】
【０００１】
本発明は、特に消化器系疾病の集団検診に使用して好適なＸ線画像診断装置に関する。
【背景技術】
【０００２】
疾病の診断や経過観察のために、従来からＸ線画像診断装置が使用されている。殊に循環器系の診断に供されるＸ線画像診断装置は、非常に多くの可動部を備えており、これらの可動部をＸ線撮影の度に操作して撮影の位置を決めるのは、操作者にとって大きな負担となっていた。そこで、オートポジショニングと呼ばれる機能が開発された。このオートポジショニング機能とは、或るＸ線撮影位置について、各可動部のとるべき位置をそれぞれデータとして記憶させておき、それを例えば２桁の数字に対応付けておくことにより、操作者が必要に応じてその数字を指定すれば、各可動部が自動的に所望の撮影位置に移動して撮影準備を整えるというものである。
【０００３】
このようなオートポジショニング機能を備えたＸ線画像診断装置において、予め複数のＸ線撮影位置を撮影順に登録しておき、或る位置での撮影の終了後に、操作者がネクストポジショニングスイッチを押すことによって、可動部を次の撮影位置に移動させるようにしたものが提案されている（例えば、特許文献１参照。）。
【０００４】
また、次の撮影位置への移動を、撮影のＯＮ／ＯＦＦ動作に連動させて行うことにより、操作者の手間を省略しようとするものも提案されている（例えば、特許文献２参照。）。
【特許文献１】特開２０００−１９７６２１号公報
【特許文献２】特開２００１−１４９３５４号公報
【発明の開示】
【発明が解決しようとする課題】
【０００５】
しかしながら、上記のような従来の技術は、循環器用のＸ線画像診断装置において、同一被検者（患者または受診者）の患部の状況を経過観察するために、以前撮影した患部とその後撮影した患部のＸ線写真を比較するために、以前のX線撮影位置を正確に再現させることを主目的としたものである。従って、消化器系疾病の早期発見を目的とする例えば胃部集団検診用のＸ線画像診断装置に適用するには、更に解決すべき課題が残されていた。
【０００６】
すなわち、胃部集団検診におけるＸ線撮影には幾つかのルーチンがあり、ルーチン毎に撮影位置とその順序やＸ線撮影の枚数も定まっているが、多数の被検者に接しながら、Ｘ線画像診断装置を操作して毎回撮影の位置決めを行い、次つぎとＸ線撮影を続けなければならない多忙な操作者（放射線技師）にとって、当該被検者に対して、何処までの撮影が終了したのか、次の撮影位置がどこか、漏れなく撮影が終了したのかどうかなどに気を配らなくてはならず、その負担が極めて大きなものとなっていた。また、検査中に被検者の胃壁へバリュームが塗布されるように、寝台にローリング機構や起倒機構が備えられており、寝台のローリングや起倒に合わせて、被検者に体位変換を促すことが必要となるが、このことも、多数の被検者に対して同じ指示を繰り返す操作者にとっては、精神的にも肉体的にも大きな負担となっていた。
【０００７】
本発明は、このような課題を解決するためになされたものである。
【課題を解決するための手段】
【０００８】
上述の課題を解決するため、請求項１に記載の発明は、被検者を載置し、起倒および／またはローリングの可能な寝台と、この寝台に載置された被検者を間にして対向するように、Ｘ線発生手段およびＸ線検出手段とを支持し、前記被検者に対するＸ線撮影方向を可変にする支持手段とを備えるＸ線画像診断装置において、集団検診時における、前記寝台および／または前記支持手段の取るべき姿勢データを含む撮影シーケンスを記憶する記憶手段と、Ｘ線撮影開始後、前記Ｘ線発生手段からのＸ線の曝射毎に、前記記憶手段に記憶されている前記撮影シーケンスに基づき、前記寝台および／または前記支持手段を次の姿勢となるように制御するとともに、前記Ｘ線発生手段からのＸ線の曝射回数が所定回数に達したときに、一連の撮影シーケンスを終了させるように制御する制御手段とを具備することを特徴とする。
【０００９】
また、請求項２に記載の発明は、請求項１に記載のＸ線画像診断装置において、前記寝台および／または前記支持手段の取るべき姿勢毎に、予め用意されている前記被検者への指示事項を音声で伝えるメッセージ発生手段をさらに具備することを特徴とする。
【発明の効果】
【００１０】
上記課題を解決するための手段の項にも示したとおり、本発明の特許請求の範囲に記載する各請求項の発明によれば、次のような効果を奏する。
【００１１】
請求項１に記載の発明によれば、一連の撮影シーケンスに従って、寝台や支持装置の位置を自動的に設定しながら、種々の姿勢でのＸ線撮影を可能とし、Ｘ線の曝射回数が所定回数に達したときに、一連の撮影シーケンスを終了させることができるので、操作者の精神的、肉体的負荷を軽減することができる。
【００１２】
請求項２に記載の発明によれば、寝台や支持装置の取るべき位置に応じて、被検者への指示事項を自動的に音声で知らせることができ、被検者に対してすみやかな動作を促し、検査のスピードアップを図ることができ、操作者の負荷も軽減できる。
【発明を実施するための最良の形態】
【００１３】
以下、本発明に係るＸ線画像診断装置の一実施の形態について、図１および図２を参照して詳細に説明する。
【実施例１】
【００１４】
消化器系疾病の集団検診に使用されるＸ線画像診断装置として、病院などの医療施設のＸ線検査室に設置されるものの他、医療施設とは異なる学校や公民館などでの出張検診が可能なように、バスを改装して車内にＸ線画像診断装置を設置した移動検診車などが知られている。本発明に係るＸ線画像診断装置は、これら何れにも適用できるものであり、図１にその概略的な構成をブロック図で示してある。なお図１において、点線は機械的な接続状態を示し、実線は電気的な接続状態を示している。
【００１５】
すなわち、本発明に係るＸ線画像診断装置は、被検者（受診者）を載置する寝台１と、この寝台１に載置された被検者に対してＸ線を照射するＸ線管装置２および被検者を透過したＸ線像を検出するＸ線検出部３を対向するように支持する支持装置４とを備えている。
【００１６】
なお、寝台１は、被検者の体軸方向に起倒可能であり、さらに、被検者の体軸に沿ってローリングが可能のように構成されている。また支持装置４は、被検者に対するＸ線の曝射方向を適宜変更可能なように、Ｘ線管装置２とＸ線検出部３とを被検者の体軸周りに回転させたり、Ｘ線管装置２とＸ線検出部３とを被検者の体軸方向に沿って傾斜させたりできるように構成されている。
【００１７】
そして、この寝台１を始めＸ線管装置２、Ｘ線検出部３および支持装置４などを有機的に制御する制御装置５を備えている。この制御装置５には、集団検診時における寝台１や支持装置４の取るべき撮影位置やＸ線撮影順序或いはＸ線撮影枚数などの撮影シーケンスを記録する撮影シーケンス記憶部６、この撮影シーケンス記憶部６に記憶されている撮影シーケンスに従って、寝台１や支持装置４を所定の撮影位置に移動させる駆動制御部７、寝台１や支持装置４の所定撮影位置毎に、被検者に対して取るべき姿勢などについての指示事項を音声で伝えるためのメッセージ発生部８、Ｘ線管装置２によるＸ線の曝射回数を計数する曝射回数計数器９などを備えている。なお、制御部５に対して、操作者が適宜設定操作をしたり指示事項などを入力したりすることの可能な、キーボードやポインティングテバイスを備えた操作部１０も設けられている。
【００１８】
次に、このように構成された本発明に係るＸ線画像診断装置の動作を、図２に示すフローチャートを参照して説明する。
【００１９】
先ず、ステップ１として操作者が操作部１０を操作して、撮影シーケンス記憶部６に予めプリセットされている撮影シーケンスの中から、所望の撮影シーケンスを指定し、検査の開始を指示する（ステップ２）。これにより、駆動制御部７によって寝台１と支持装置４が所定の位置に移動させられ、操作者が透視画像を観察しながら、タイミングを計って図示しない撮影ボタンを押すことによって、Ｘ線管装置２から撮影用のＸ線が曝射されて１枚目のＸ線撮影が行われる（ステップ３）。ここで、Ｘ線の曝射信号が検出される（ステップ４）。なお、Ｘ線曝射信号の検出は、通常、Ｘ線管装置２へ高電圧を供給する図示しない高電圧発生装置の動作として検出される。
【００２０】
このステップ４におけるＸ線の曝射信号が検出されると、シーケンス記憶部６に記憶されている撮影シーケンスが１つ進み、寝台１と支持装置４の取るべき次の撮影位置が駆動制御部７へ指示され、ステップ５として駆動制御部７が寝台１と支持装置４を移動させる。そして、所定位置への移動が完了したか否かがステップ６として判断され、所定位置への移動が完了したときにＹＥＳ出力が送出される。
【００２１】
一方、ステップ４において検出されたＸ線の曝射信号は、曝射回数計数器９によってその回数が計数され（ステップ７）、さらに規定の曝射回数に達したか否か、すなわち、所定のＸ線撮影枚数に達したか否かが判断される（ステップ８）。ここで未だ所定の撮影枚数に達していなければＮＯ出力が送出される。このステップ８でのＮＯ出力とステップ６でのＹＥＳ出力とのＡＮＤが、ステップ９として取られ、ＡＮＤが成立すればステップ３へ戻って次の撮影位置でのＸ線撮影に入ることになる。
【００２２】
以下、このような動作を繰り返して、通常１検査当り十数枚のＸ線撮影を行い、ステップ８において所定のＸ線撮影枚数に達したと判断されると一連の撮影シーケンスが終了することになる。
【００２３】
ところで、胃のＸ線撮影をするに当っては、通常被検者にバリュームを飲んでもらい、そのバリュームが胃壁に一様に塗布されるようにする必要がある。ところが、被検者を載置した寝台１を起倒させたり或いはローリングさせたりもするが、これだけでは十分ではなく、被検者に寝台上で自ら回転してもらったり、位置や姿勢を変えてもらったりすることが必要となることがある。
【００２４】
そこで、これらの内、例えば、「右方向にゆっくり２度回転してください」とか、「左方向に回転してください」のような、標準的に必要となる事項について、音声で被検者へ動作を促すような指示ができるように、メッセージ発生部８が備えられている。このメッセージ発生部８を動作させるには、メッセージでの指示が必要な位置によるＸ線撮影が、撮影シーケンスの何番目にあるのかが解っているので、ステップ７における撮影回数の計数により、そのメッセージを発すべき回数になった際にメッセージ発生部８に対して動作開始信号を送って、必要なメッセージを発生させるようにしてもよいし、または操作者が操作部１０によって必要な都度動作指示をしても良い。
【００２５】
本発明は、上述の実施例に限定されることなく、要旨を逸脱しない範囲において種々変形して実施することが可能である。例えば撮影シーケンスの実行中に、撮影の失敗があったような場合に対応できるように、同じ撮影位置でのＸ線撮影のやり直しを可能にしたり、撮影の中止や一時停止なども可能としたりするような制御を組み入れてもよいことは言うまでもない。また、撮影位置を決めるには、寝台と支持装置のいずれか一方を移動させて行える場合もあるし、両方を移動させないと決められない場合もある。
【図面の簡単な説明】
【００２６】
【図１】本発明に係るＸ線画像診断装置の一実施の形態を示したブロック図である。（実施例１）
【図２】本発明に係るＸ線画像診断装置の一実施の形態の動作を説明するために示したフローチャートである。（実施例１）
【符号の説明】
【００２７】
１  寝台
２  Ｘ線管装置
３  Ｘ線検出部
４  支持装置
５  制御装置
６  撮影シーケンス記憶部
７  駆動制御部
８  メッセージ発生部
９  曝射回数計数器
１０  操作部
【図１】
2006109891.tif 000003
【図２】
2006109891.tif 000004